(57)【要約】【課題】  導光部材によって液晶表示パネルの上面側を照明しても、液晶表示パネルに表示された情報を鮮明に見ることができる電子機器を提供する。【解決手段】  光源１６の光を側部から導入して面方向に導く導光フィルム１８に、光拡散部２０を液晶表示パネル１３における表示領域１５の周辺部に対応させて設けた。従って、光源１６からの光を導光フィルム１８で面方向に導いて液晶表示パネル１３の上面側を照明する際、導光フィルム１８の光拡散部２０によって液晶表示パネル１３における表示領域１５の周辺部に対応する箇所を明るく照明することができる。このため、液晶表示パネル１３に表示された情報が導光フィルム１８の光拡散部２０によって影響を受けることがないので、導光フィルム１８によって液晶表示パネル１３の上面側を照明しても、液晶表示パネル１３に表示された情報を鮮明に見ることができる。【選択図】        図３
2010133822.tif 000002
【特許請求の範囲】
【請求項１】
情報を表示する複数の表示部を有する液晶表示パネルと、この液晶表示パネルの近傍に配置された光源と、前記液晶表示パネルの上面側に配置され、前記光源の光を側部から導入して面方向に導く導光部材とを備えた電子機器において、
前記液晶表示パネルの複数の表示部の周辺部に対応する前記導光部材の箇所のみに、光拡散部を設けたことを特徴とする電子機器。
【請求項２】
情報を表示する複数の表示部を有する液晶表示パネルと、この液晶表示パネルの近傍に配置された光源と、前記液晶表示パネルの上面側に配置され、前記光源の光を側部から導入して面方向に導く導光部材とを備えた電子機器において、
前記液晶表示パネルの複数の表示部の周辺部に対応する前記導光部材の箇所、及び前記複数の表示部の各間に対応する前記導光部材の箇所に、光拡散部を設けたことを特徴とする電子機器。
【請求項３】
前記導光部材は、可撓性を有する透明な合成樹脂からなる導光フィルムであることを特徴とする請求項１または請求項２に記載の電子機器。
【発明の詳細な説明】
【技術分野】
【０００１】
この発明は、電子時計や携帯情報端末機、電子辞書などの電子機器に関し、更に詳しくは導光部材によって液晶表示パネルを照明する電子機器に関する。
【背景技術】
【０００２】
従来、電子腕時計などの電子機器においては、特許文献１に記載されているように、液晶表示パネルの上面側に導光部材を配置し、この導光部材の一側部から光源の光を採り込んで面方向に導き、この導光部材で導いた光を液晶表示パネルの上面に照射させて液晶表示パネルを照明するように構成されたものが知られている。
【特許文献１】特開平１０−１８８６３６
【発明の開示】
【発明が解決しようとする課題】
【０００３】
しかしながら、このような従来の電子機器では、導光部材の一面におけるほぼ全域に光拡散部を設け、光源からの光を導光部材で導いて面発光させて液晶表示パネルの上面側をほぼ均等に照明しているため、導光部材の光拡散部によって液晶表示パネルに表示された情報がぼやけて見え、液晶表示パネルに表示された情報が見ずらいという問題がある。
【０００４】
この発明が解決しようとする課題は、導光部材によって液晶表示パネルの上面側を照明しても、液晶表示パネルに表示された情報を鮮明に見ることができる電子機器を提供することである。
【課題を解決するための手段】
【０００５】
この発明は、上記課題を解決するために、次のような構成要素を備えている。
請求項１に記載の発明は、情報を表示する複数の表示部を有する液晶表示パネルと、この液晶表示パネルの近傍に配置された光源と、前記液晶表示パネルの上面側に配置され、前記光源の光を側部から導入して面方向に導く導光部材とを備えた電子機器において、前記液晶表示パネルの複数の表示部の周辺部に対応する前記導光部材の箇所のみに、光拡散部を設けたことを特徴とする電子機器である。
【０００６】
請求項２に記載の発明は、情報を表示する複数の表示部を有する液晶表示パネルと、この液晶表示パネルの近傍に配置された光源と、前記液晶表示パネルの上面側に配置され、前記光源の光を側部から導入して面方向に導く導光部材とを備えた電子機器において、前記液晶表示パネルの複数の表示部の周辺部に対応する前記導光部材の箇所、及び前記複数の表示部の各間に対応する前記導光部材の箇所に、光拡散部を設けたことを特徴とする電子機器である。
【０００７】
請求項３に記載の発明は、前記導光部材は、可撓性を有する透明な合成樹脂からなる導光フィルムであることを特徴とする請求項１または請求項２に記載の電子機器である。
【発明の効果】
【０００８】
この発明によれば、光源からの光を導光部材で面方向に導いて液晶表示パネルの上面側を照明する際、導光部材に設けられた光拡散部によって液晶表示パネルの複数の表示部の表示領域の周辺部に対応する箇所を明るく照明することができる。このため、液晶表示パネルに表示された情報が導光部材の光拡散部によって影響を受けることがないので、導光部材によって液晶表示パネルの上面側を照明しても、液晶表示パネルに表示された情報を鮮明に見ることができる。
【発明を実施するための最良の形態】
【０００９】
（実施形態１）
以下、図１〜図３を参照して、この発明を電子腕時計に適用した実施形態１について説明する。
この電子腕時計は、図１および図２に示すように、腕時計ケース１を備えている。この腕時計ケース１の上部には、図２に示すように、時計ガラス２が取り付けられており、この腕時計ケース１の下部には、裏蓋３が取り付けられている。また、この腕時計ケース１の内部には、時計モジュール４が配置されている。
【００１０】
この時計モジュール４は、図２に示すように、上部ハウジング５と下部ハウジング６とを備えている。この上部ハウジング５と下部ハウジング６との間には、ＬＳＩ７ａなどの各種の電子部品を搭載した回路基板７が配置されている。また、下部ハウジング６の下部には、地板８が配置されている。この地板８は、その周縁部に設けられたフック部９が下部ハウジング６の側方を通り上部ハウジング５の側面に設けられた係止部１０に係止されることにより、上部ハウジング５と下部ハウジング６とを一体的に取り付けるように構成されている。
【００１１】
この場合、下部ハウジング６の内部には、図２に示すように、電池１１やアンテナ１２などの電子部品が回路基板７と電気的に接続された状態で設けられている。また、上部ハウジング５の内部には、図２に示すように、液晶表示パネル１３がインターコネクタ１４によって回路基板７上に電気的に接続された状態で支持されている。
【００１２】
この液晶表示パネル１３は、上下一対の透明な電極基板１３ａ、１３ｂの間に液晶（図示せず）が封入され、上側の電極基板１３ａの上面に上偏光板１３ｃが配置され、下側の電極基板１３ｂの下面に下偏光板１３ｄが配置された構成になっている。これにより、液晶表示パネル１３は、図２に示すように、上下一対の電極基板１３ａ、１３ｂに選択的に電圧を印加して液晶の配向を変化させることにより、電気光学的に情報を表示するように構成されている。
【００１３】
この場合、液晶表示パネル１３は、図３に示すように、その周縁部を除いて表示領域１５が形成され、この表示領域１５の外周部が腕時計ケース１の表示窓枠である見切部１ａで覆われて外部から見えないように構成されている。また、この表示領域１５内には、時刻、日付、曜日、アラームなどの各種の情報を表示するための複数の表示部１５ａが分割されて設けられている。
【００１４】
また、この液晶表示パネル１３の１２時側（図２では右側）に位置する上部ハウジング５内には、図２および図３に示すように、ＬＥＤ（発光ダイオード）や豆ランプなどの光源１６が配置されている。この光源１６は、図２に示すように、回路基板７上に電気的に接続された状態で設けられ、その外周側に配置された反射部材１７によって囲われて、発光した光が外部に漏れないように構成されている。
【００１５】
また、液晶表示パネル１３の上面側には、図２および図３に示すように、導光フィルム１８が配置されている。この導光フィルム１８は、可撓性を有する透明な合成樹脂からなり、図３に示すように、１２時側の一側部が光源１６に向けて延出され、この延出部１８ａの先端部が光源１６の上側に接近して配置されている。
【００１６】
この場合、導光フィルム１８の延出部１８ａは、図２に示すように、液晶表示パネル１３の上面から側方に向けて斜め下側に折り曲げられ、この折り曲げられた先端部が入光部として光源１６の上側に接近し、この接近した入光部の先端面から光源１６の光を採り込むように構成されている。これにより、導光フィルム１８は、光源１６からの光を延出部１８ａの先端部である入光部から採り込み、この採り込んだ光を導光フィルム１８の面方向に導くように構成されている。
【００１７】
この場合、導光フィルム１８の下面には、図３に示すように、光拡散部２０が液晶表示パネル１３における表示領域１５の周辺部の外周側に対応して設けられている。この光拡散部２０は、面方向に導かれた光を導光フィルム１８の下面から液晶表示パネル１３の上面に向けて拡散することにより、液晶表示パネル１３における表示領域１５の周辺部を明るく照明するように構成されている。
【００１８】
このような電子腕時計によれば、光源１６の光を一側部の延出部１８ａの先端部である入光部から導入して面方向に導く導光フィルム１８に、光拡散部２０を液晶表示パネル１３における表示領域１５の周辺部の外周側に対応させて設けているので、光源１６からの光を導光フィルム１８で導いて液晶表示パネル１３の上面側を照明する際、導光フィルム１８の光拡散部２０によって液晶表示パネル１３における表示領域１５の周辺部に対応する箇所を明るく照明することができる。このため、液晶表示パネル１３に表示された情報が導光フィルム１８の光拡散部２０によって影響を受けることがないので、導光フィルム１８によって液晶表示パネル１３の上面側を照明しても、液晶表示パネル１３に表示された情報を鮮明に見ることができる。
【００１９】
この場合、導光フィルム１８は、可撓性を有する透明な合成樹脂からなるので、液晶表示パネル１３の上面側に配置しても、導光フィルム１８の一側部に延出されて設けられた延出部１８ａを折り曲げることができ、この折り曲げられた延出部１８ａの先端部である入光部を光源１６に正確に且つ確実に接近させることができる。このため、光源１６および導光フィルム１８を設けても、時計モジュール４の厚みが厚くならず、時計モジュール４をコンパクトに構成することができ、これにより腕時計全体の薄型化および小型化を図ることができる。
【００２０】
（実施形態２）
次に、図４を参照して、この発明を電子腕時計に適用した実施形態２について説明する。なお、図１〜図３に示された実施形態１と同一部分には同一符号を付して説明する。
この電子腕時計は、液晶表示パネル１３の表示領域１５内において情報を表示する複数の表示部１５ａの各間に対応する導光フィルム１８の箇所にも、光拡散部２１を設けた構成であり、これ以外は実施形態１とほぼ同じ構成になっている。
【００２１】
すなわち、この導光フィルム１８の下面には、図４に示すように、表示領域１５の周辺部に対応する光拡散部２０と、表示領域１５内において情報を表示する複数の表示部１５ａの各間にそれぞれ対応する光拡散部２１とが設けられている。この場合、複数の表示部１５ａの各間に対応する光拡散部２１も、面方向に導かれた光を導光フィルム１８の下面から液晶表示パネル１３の上面に向けて拡散することにより、液晶表示パネル１３における情報を表示する複数の表示部１５ａの各間に対応する箇所を明るく照明するように構成されている。
【００２２】
このような電子腕時計によれば、実施形態１と同様の作用効果があるほか、液晶表示パネル１３の表示領域１５内において情報を表示する複数の表示部１５ａの各間にそれぞれ対応する導光フィルム１８の箇所にも光拡散部２１が設けられているので、光源１６からの光を導光フィルム１８の光拡散部２１によって液晶表示パネル１３における複数の表示部１５ａの各間に対応する箇所を明るく照明することができる。
【００２３】
このため、液晶表示パネル１３の上面を実施形態１よりも明るく照明することができると共に、液晶表示パネル１３に表示された情報が導光フィルム１８の光拡散部２１によって影響を受けることがないので、実施形態１よりも、表示部１５ａに表示された情報を鮮明に見ることができる。
【００２４】
なお、上記実施形態１、２では、導光フィルム１８の下面に光拡散部２０、２１を設けた場合について述べたが、必ずしも光拡散部２０、２１を導光フィルム１８の下面に設ける必要はなく、例えば導光フィルム１８の上面の所定箇所に反射タイプの光拡散部を設けた構成でも良く、また導光フィルム１８の所定箇所における内部に光拡散剤を混入させて光拡散部を設けた構成でも良い。この場合、導光フィルム１８の所定箇所とは、液晶表示パネル１３の表示領域１５の周辺部に対応する箇所、または表示領域１５内における複数の表示部１５ａの各間に対応する箇所のことである。
【００２５】
また、上記実施形態１、２では、電子腕時計に適用した場合について述べたが、必ずしも電子腕時計である必要はなく、例えばトラベルウオッチ、目覚まし時計、置き時計、掛け時計などの各種の電子時計に適用することができるほか、電子時計に限らず、携帯情報端末機（ＰＤＡ：パーソナル・デジタル・アシスタント）や電子辞書、電卓、電子カメラなどの各種の電子機器に広く適用することができる。
【図面の簡単な説明】
【００２６】
【図１】この発明を電子腕時計に適用した実施形態１を示した正面図である。
【図２】図２のＡ−Ａ矢視における時計モジュールを示した要部の拡大断面図である。
【図３】図２の時計モジュールを示した拡大正面図である。
【図４】この発明を電子腕時計に適用した実施形態２における時計モジュールを示した拡大正面図である。
【符号の説明】
【００２７】
１  腕時計ケース
４  時計モジュール
１３  液晶表示パネル
１５  表示領域
１５ａ  表示部
１６  光源
１８  導光フィルム
１８ａ  延出部
２０、２１  光拡散部
【図１】
2010133822.tif 000003
【図２】
2010133822.tif 000004
【図３】
2010133822.tif 000005
【図４】
2010133822.tif 000006